(57)【特許請求の範囲】
【請求項１】
利用者の上半身を起すことができるベッド装置において、
ベッドフレームと、
このベッドフレームの長手方向に沿って複数の床板部に分割され隣り合う床板部が互いに回動自在に連結されるとともに中央部分に位置する床板部が上記ベッドフレームに固定された床板体と、
この床板体の上記ベッドフレームに固定された固定床板部の一端側に回動自在に連結された可動床板部を起伏駆動する背上げ駆動機構と、
上記床板体上に載置されるとともに長手方向中途部にその長手方向に沿って伸縮可能な伸縮部が形成されたマットレス装置と、
上記可動床板部を起立方向へ回動させたときに上記マットレス装置の上記伸縮部を伸長させて上記マットレス装置の上記可動床板部上に位置する部分を上昇方向へスライドさせ倒伏方向へ回動させたときには上記マットレス装置の可動床板部上に位置する部分を下降方向へスライドさせて上記伸縮部を収縮させるスライド手段と
を具備したことを特徴とするベッド装置。
【請求項２】
上記背上げ機構は、上記可動床板部の下面側に長手方向に沿って設けられたレールと、先端部に上記レールを転動するローラが設けられたアームと、このアームを回動駆動することで上記レールに沿って転動する上記ローラによって上記可動床板部を起伏駆動する駆動源とを有し、
上記スライド手段は、上記可動床板部の上面側と下面側とにわたって設けられた帯状部材と、この帯状部材に上記マットレス装置の上記可動床板部上に位置する部分を連結した第１の連結手段と、上記帯状部材と上記アームとを連結しこのアームの回動に応じて上記帯状部材を上記可動床板部に沿ってスライドさせる第２の連結手段とを有することを特徴とする請求項１記載のベッド装置。
【発明の詳細な説明】
【０００１】
【発明の属する技術分野】
この発明は自力で起き上がることが困難な利用者を介護するためのベッド装置に用いられるマットレス装置及びそのベッド装置に関する。
【０００２】
【従来の技術】
病人用のベッド装置においては、体力が低下した患者が食事をする場合などに上半身を起すのを支援するために、いわゆる起床式ベッド装置が用いられることがある。上記起床式ベッド装置は、ベッドフレームの上面に設けられる床板体を、上記ベッドフレームの長手方向に対して複数の床板部に分割し、そのうちの利用者の上半身に対応する部分の床板部である、背床板部を駆動機構によって起伏駆動できる構成になっている。
【０００３】
したがって、上記背床板部を起立方向へ駆動すれば、上記床板体上にマットレス装置を介して仰臥した患者はほとんど体力を使うことなく上半身を起すことができることになる。
【０００４】
従来、上記床板体は、上記背床板部の他に、上記ベッドフレームに固定して設けられる固定床板部を有し、この固定床板部に上記背床板部の一端部を回動自在に連結して構成されていた。
【０００５】
そのため、患者の上半身を起すために上記背床板部を駆動機構によって起立方向に駆動すると、この背床板部は固定床板部との連結部を支点として起立方向に回動上昇することになる。
【０００６】
上記背床板部を起立方向に回動上昇させると、床板体上に載置されたマットレス装置は患者の背面を押圧しながら屈曲させる。上記マットレス装置は所定の厚さを有するため上記背床板部の起立に伴なって屈曲されたとき、湾曲の内側となる上面には長手方向内方に沿う圧縮力が発生し、外面となる下面には長手方向外方に沿う引張り力が発生する。
【０００７】
それによって、マットレス装置の上面で押圧されながら上半身が起される患者の背面には、上記マットレス装置の上面で発生する圧縮力も作用することになるため、その圧縮力によって背中が下方へ押圧され、臀部や大腿部が後方へ押圧されるから、身体の、とくに腹部が圧迫されるということがある。
【０００８】
患者に体力があって、自力でマットレス装置の上面から身体の背中を浮かし、その背面に作用する圧縮力を除去できる場合はよいが、十分な体力のない患者の場合には圧縮力を自力で除去できないことがあり、そのような場合には患者に与える苦痛が大きくなるとうことがある。
【０００９】
【発明が解決しようとする課題】
このように、従来の起床式ベッド装置においては、背床板部を起立方向に上昇させると、床板上に載置されたマットレス装置の上面が患者の背面を押圧しながら屈曲されることで、そのマットレス装置の上面に長手方向内方に向かって発生する圧縮力が患者の背面に強く作用する。
【００１０】
そのため、自力によってマットレス装置から身体を浮かさなければ、利用者の背面に作用した圧縮力を除去できないから、背上げ時に身体の腹部が圧迫され、利用者に不快感を与えるということがあり、とくに利用者が病人や老人などで、身体をマットレス装置の上面から浮かし、身体に加わる圧縮力を自力で除去できない場合、利用者に与える苦痛が大きくなるということがあった。
【００１１】
この発明は、長手方向に伸縮可能な構造とすることで、背上げ式のベッド装置に用い、可動床板部の起伏に応じて伸縮させることで、とくに背上げ時に利用者の腹部を圧迫するなどして苦痛を与えることのないように利用することができるマットレス装置を提供することにある。
【００１２】
この発明は、長手方向に伸縮可能なマットレス装置を用いるとともに、可動床板部の起伏に応じて上記マットレス装置を伸縮できるようにすることで、とくに背上げ時に利用者の腹部を圧迫するなどの苦痛を与えることのないようにしたベッド装置を提供することにある。
【００１７】
【課題を解決するための手段】
請求項１の発明は、利用者の上半身を起すことができるベッド装置において、
ベッドフレームと、
このベッドフレームの長手方向に沿って複数の床板部に分割され隣り合う床板部が互いに回動自在に連結されるとともに中央部分に位置する床板部が上記ベッドフレームに固定された床板体と、
この床板体の上記ベッドフレームに固定された固定床板部の一端側に回動自在に連結された可動床板部を起伏駆動する背上げ駆動機構と、
上記床板体上に載置されるとともに長手方向中途部にその長手方向に沿って伸縮可能な伸縮部が形成されたマットレス装置と、
上記可動床板部を起立方向へ回動させたときに上記マットレス装置の上記伸縮部を伸長させて上記マットレス装置の上記可動床板部上に位置する部分を上昇方向へスライドさせ倒伏方向へ回動させたときには上記マットレスの可動床板部上に位置する部分を下降方向へスライドさせて上記伸縮部を収縮させるスライド手段と
を具備したことを特徴とする。
【００１８】
請求項２の発明は請求項１の発明において、上記背上げ機構は、上記可動床板部の下面側に長手方向に沿って設けられたレールと、先端部に上記レールを転動するローラが設けられたアームと、このアームを回動駆動することで上記レールに沿って転動する上記ローラによって上記可動床板部を起伏駆動する駆動源とを有し、
上記スライド手段は、上記可動床板部の上面側と下面側とにわたって設けられた帯状部材と、この帯状部材に上記マットレス装置の上記可動床板部上に位置する部分を連結した第１の連結手段と、上記帯状部材と上記アームとを連結しこのアームの回動に応じて上記帯状部材を上記可動床板部に沿ってスライドさせる第２の連結手段とを有することを特徴とする。
【００２２】
請求項１の発明によれば、床板体上に載置されたマットレス装置を、上記床板体の可動床板部を起伏させたときにその起伏に連動して伸縮させるようにしたから、可動床板部の起上に伴ないマットレス装置が屈曲されても、利用者の背面を圧迫するのを防止することができる。
【００２３】
請求項２の発明によれば、床板体の可動床板部を起伏させる背上げ機構を利用してマットレス装置を伸縮させることができるから、マットレス装置を伸縮させるための専用の機構が不要となる。
【００２４】
【発明の実施の形態】
図１に示すベッド装置はベッドフレーム１を備えている。このベッドフレーム１はベースフレーム２上にリンク機構３により上下動自在に設けられている。このリンク機構３は上下駆動機構を構成するの駆動源４によって駆動されるようになっている。それによって、上記ベッドフレーム１は高さ調整自在となっている。
【００２５】
上記ベッドフレーム１の長手方向一端にはヘッドボード５ａが立設され、他端にはフットボード５ｂが設けられている。さらに、ベッドフレーム１上には床板体６が載置されている。この床板体６は５つの床板部に分割されていて、長手方向中央部に位置する固定床板部７ａは上記ベッドフレーム１に固定されている。
【００２６】
上記固定床板部７ａの一端側には腰床板部７ｂと背床板部７ｃとが順次回動自在に連結され、他側側には第１の脚床板部７ｄと第２の脚床板部７ｅとが順次回動自在に連結されている。
【００２７】
上記ベッドフレーム１の下面側には背上げ機構１１が設けられている。この背上げ機構１１は駆動軸１２を軸方向に進退駆動する駆動源１３を備えている。ベッドフレーム１には幅方向に沿って回転軸１４が回転自在に架設され、この回転軸１４の中途部には連結杆１５が一端を固着して設けられている。この連結杆１５の他端には上記駆動軸１２の先端部が回動自在に連結されている。
【００２８】
上記回転軸１４の両端部には一対のアーム１６（図２に示す）の基端部が固着されている。各アーム１６の先端部には図３に示すようにそれぞれ一対のローラ１７が回転自在に設けられている。
【００２９】
上記床板体６の背床板部７ｃの下面の幅方向両端部には図２に示すように床板体６の長手方向に沿って断面形状がコ字状の一対のレール１８が設けられている。これらレール１８には上記アーム１６の先端部に設けられた一対のローラ１７がそれぞれ転動自在に係合されている。
【００３０】
したがって、背上げ機構１１の駆動源１３によって駆動軸１２が進退駆動されれば、上記アーム１６が回動させられるから、その回動によってレール１８を介して上記背床板部７ｃが起伏駆動されることになる。
【００３１】
上記床板体６上にはマットレス装置２１が載置される。このマットレス装置２１は図５（ａ）〜（ｃ）に示すように矩形板状のクッション体２２及びこのクッション体２２を被覆した袋状の外装体２３とからなる。外装体２３は一側がファスナ２３ｂによって開閉自在となっている。上記クッション体２２は図５（ａ），（ｂ）及び図６に示すようにクッション性を有するシート状の弾性心材２２ａの上下面に、それぞれ低反撥の弾性外層材２２ｂを接着固定した三層構造となっている。なお、この実施の形態では、上記弾性心材２２ａ及び弾性外装材２２ｂは、たとえばウレタンフォームなどの発泡弾性材が用いられている。
【００３２】
上記クッション体２２の長手方向中途部には伸縮部２４が形成されている。この伸縮部２４は、上記クッション体２２の長手方向中途部に形成された変形部としての短冊部２５及び上記外装体２３を伸縮性の布地とすることによって形成されている。
【００３３】
上記短冊部２５は、上記クッション体２２の幅方向に沿う切り込み２５ａを長手方向に沿って所定間隔で、しかも一方の面側と他方の面側とから所定の厚さで、更に厚さ方向に所定の寸法の連結部２５ｂを残して交互に切り込むことで形成されている。各切り込み部２５ａの末端部には合成樹脂や布地などの補強シート２６が接着固定されている。それによって、伸縮部２４を伸長させたときに、上記クッション体２２が上記切り込み２５ａの個所から裂けるのを防止している。上記補強シート２６に合成樹脂を用いれば、使用に伴ない上記補強シート２６が汚れても、その汚れを容易に、しかも確実に拭き取ることができる。
【００３４】
なお、クッション体２２を長手方向に伸縮させるための変形部としてクッション体２２に切り込み部２５ａからなる短冊部２５を形成したが、それに代わり、たとえばウレタンフォームや綿などからなるシート状の弾性材を波形状に折り曲げて所定の厚さのクッション体２２を形成することで、このクッション体２２に長手方向に伸縮自在な変形部を形成するようにしてもよい。その場合、変形部はクッション体２２の長手方向中途部だけに設ければよい。
【００３５】
図５（ａ），（ｂ）に示すように、上記クッション体２２の幅方向両側部には他の部分よりも硬質な側部クッション材２７が長手方向全長にわたって設けられている。それによって、マットレス装置２１の幅方向両端部を他の部分よりも硬くしている。
【００３６】
さらに、クッション体２２の長手方向中途部と一端部とには一対の矩形状の取付け孔２８が形成され、各取付け孔２８にはクッション体２２を形成するクッション部材２２ｃ，２２ｄが着脱自在に装着されている。
【００３７】
上記クッション体２２の長手方向中途部は利用者の臀部を支持し、一端部は脚部を支持する。そのため、臀部を支持する部分のクッション材２２ｃの方が脚部を支持するクッション材２２ｄよりも早期にへたり易いから、所定期間使用したならば、クッション材２２ｃを２２ｄと入れ替えることで、マットレス装置２１の使用期間を延長することができる。
【００３８】
上記クッション体２２の一側面（下面）の長手方向他端部には、図５（ｂ）に示すように比較的丈夫な布地や合成樹脂シートからなる取付けシート２９が幅方向全長にわたって接着固定されている。この取付けシート２９の両端部には一対の第１のベルベットファスナ３０がクッション体２２の長手方向に沿って接着又は縫着固定されている。上記外装体２３には上記第１のベルベットファスナ３０を露出させるための一対の開口部２３ａが形成されている。
【００３９】
なお、上記外装体２３は全体を伸縮性を有する布地で形成してもよいが、上記短冊部２５に対応する部分だけを伸縮性を有する布地を用いることで、上記伸縮部２４を形成するようにしてもよい。
【００４０】
上記マットレス装置２１はスライド手段３１によって上記背床板部７ｃの起伏に連動して伸縮されるようになっている。上記スライド手段３１は図２乃至図４に示すように背床板部７ｃの幅方向両端部に設けられた一対の帯状部材３２を有する。この帯状部材３２は図４に示すように中途部が上記背床板部７ｃの上面側に、この背床板部７ｃの長手方向に沿って設けられ、一端部は上記背床板部７ｃの先端部に形成された通孔部３３から下面側に導かれ、他端部は背床板部７ｃの基端部に形成された凹部３４から下面側に導かれている。
【００４１】
上記帯状部材３２の一端部は、上記背上げ機構１１のアーム１６の先端に設けられた環状の第１の連結具３５に折り込まれその端部は第２のベルベットファスナ３６によって着脱自在に上記第１の連結部３５に連結され、他端部はループ状に縫着され、そのループの部分は上記アーム１６の中途部に設けられた環状の第２の連結具３７に係合連結されている。
【００４２】
上記帯状部材３２の中途部の上面にはその長手方向に沿って第３のベルベットファスナ３８が固着されている。この第３のベルベットファスナ３８は上記マットレス装置２１に設けられた第１のベルベットファスナ３０に係着される。
【００４３】
背上げ機構１１のアーム１６が回動されて上記背床板部７ｃが起上方向に駆動されると、背床板部７ｃにループ状に設けられた帯状部材３２は、この背床板部７ｃに対して図４に矢印Ａで示す方向に沿って移動する。それによって、この帯状部材３２に連結されたマットレス装置２１が同図に矢印Ｂで示す上昇方向へスライドするようになっている。
【００４４】
逆に、上記背床板部７ｃが起上状態から倒伏方向へ駆動されると、上記帯状部材３２は背床板部７ｃに対して矢印Ａと逆方向へ移動するから、それによってマットレス装置２１は矢印Ｂと逆方向である、下降方向へスライドするようになっている。
【００４５】
つぎに、上記構成のベッド装置において、マットレス装置２１上に仰臥した利用者の上半身を起す場合には、背上げ機構１１の駆動源１３を作動させて駆動軸１２を図１に矢印で示す前進方向へ駆動する。それによって、回転軸１４が回転されるから、その回転にアーム１６が連動して起立方向へ回動する。
【００４６】
アーム１６が起立方向へ回動すると、その先端部に設けられた一対のローラ１７が背床板部７ｃの背面に設けられたレール１８を転動するから、上記背床板部７ｃが起立方向へ押し上げられることになる。それによって、マットレス装置２１上に仰臥した利用者は上記背床板部７ｃによって上半身が起されることになる。
【００４７】
背床板部７ｃを起立方向へ回動させて利用者の上半身を起すと、この背床板部７ｃに対して帯状部材３２が図４に矢印Ａで示す方向へ移動する。それによって、上記帯状部材３２にベルベットファスナ３０，３８を介して連結されたマットレス装置２１の上記背床板部７ｃ上に位置する部分が起上する背床板部７ｃの上昇方向へ引張られる。
【００４８】
上記マットレス装置２１の長手方向中途部には伸縮部２４が形成されている。そのため、マットレス装置２１は上記伸縮部２４が引き伸ばされ、背床板部７ｃ上に位置する部分が上昇方向へスライドするから、マットレス装置２１が背床板部７ｃの起上によって屈曲されても、その屈曲部分の上面側に圧縮力が発生するのが防止される。
【００４９】
それによって、背床板部７ｃを起上させて利用者の上半身を起すようにしても、利用者の背面、とくに腰部の部分を屈曲されたマットレス装置２１によって圧迫することがないから、利用者に不快感を与えるのを防止できる。
【００５０】
一方、上半身を起した利用者を仰臥状態に戻すため、背上げ機構１１の駆動軸１２を後退方向へ駆動して起立状態にある背床板部７ｃを倒伏方向へ駆動すると、この背床板部７ｃの倒伏に連動して帯状部材３２が図４に矢印で示す方向と逆方向へ移動する。
【００５１】
それによって、マットレス装置２１の背床板部７ｃ上に位置する部分が矢印Ｂと逆方向へ強制的にスライドさせられるから、上記背床板部７ｃを起上させるときに伸長した伸縮部２４が元の状態に弾性的に復元し、上記伸縮部２４の切り込み２５ａが閉じる。したがって、上記伸縮部２４がマットレス装置２１上に仰臥した利用者に他の部分と異なるクッション性などの感触を与えるということがほとんどないから、マットレス装置２１に伸縮部２４を形成しても、寝心地の低下を招くのが防止される。
【００５２】
上記マットレス装置２１の伸縮部２４を伸縮させるために、ベッド装置の背床板部７ｃに沿って設けられた帯状部材３２を、上記背床板部７ｃの起伏に連動させ、この帯状部材３２の移動によってマットレス装置２１を強制的に伸縮させるようにした。
【００５３】
つまり、背床板部７ｃの起伏を利用してマットレス装置２１を伸縮させるようにしているため、上記マットレス装置２１を伸縮させるための専用の機構を設けずにすむ。
【００５４】
上記マットレス装置２１の伸縮部２４は、クッション体２２に切り込み２５ａを入れた短冊部２５および上記クッション体２２を被覆した外装体２３に伸縮性の布地を用いることで形成しているため、その構成が簡単であるばかりか、背床板部７ｃの起伏に応じて帯状部材３２により確実に伸縮させることができる。
【００５５】
しかも、上記短冊部２５の切り込み２５ａの末端部には補強シート２５ａが接合固定されている。そのため、上記短冊部２５が繰り返して伸長されても、上記切り込み２５ａが裂けるのを防止することができる。
【００５６】
上記マットレス装置２１のクッション体２２は幅方向両側部には、他の部分よりも硬質な側部クッション材２７が設けられているから、マットレス装置２１の側部に腰掛けた場合などに、その側部が大きく押し潰され、腰掛けずらいということが防止される。
【００５７】
さらに、上記クッション体２２には利用者の臀部に対応する部分と足部に対応する部分とに、それぞれ取付け孔２８を形成し、各取付け孔２８には上記クッション体２２を構成するクッション材２２ｃ，２２ｄをそれぞれ着脱自在に設けるようにした。
【００５８】
利用者の臀部に対応位置するクッション材２２ｃは側部に対応位置するクッション材２２ｄに比べて早期にへたり易いから、所定期間使用することで、クッション材２２ｃがへたったならば、そのクッション材２２ｃを足部側のクッション材２２ｄと交換することで、マットレス装置２１の性能を維持することができるから、このマットレス装置を所定以上の性能で利用できる期間を延長することができる。
【００５９】
なお、この発明は上記一実施の形態に限定されず、たとえば帯状部材とマットレス装置とを連結する構造は、この帯状部材を上記マットレス装置のクッション体に連結せずに、外装体にベルベットファスナなどの連結手段を用いて連結するようにしてもよく、その場合、外装体の上記帯状部材が連結される部分は伸縮性のない布地で形成すればよい。
【００６４】
【発明の効果】
請求項１の発明によれば、床板体上に載置されたマットレス装置の長手方向中途部に伸縮部を形成し、上記床板体の可動床板部を起伏させたときにその起伏に連動して上記マットレス装置の上記伸縮部を伸縮させるようにした。
【００６５】
そのため、可動床板部の起上に伴ないマットレス装置が屈曲されても、マットレス装置が伸長されることで、利用者の背面が圧迫されるのが防止されるから、利用者に不快感や苦痛を与えることがなく、また可動床板部を倒伏させたときにはマットレス装置の伸縮部が強制的に縮小されるから、その伸縮部によって利用者に違和感などを与え、寝心地の低下を招くということもなくすことができる。
【００６６】
請求項２の発明によれば、床板体の可動床板部を起伏させる背上げ機構を利用してマットレス装置を伸縮させることができるようにした。
そのため、マットレス装置を伸縮させるための専用の機構が不要となるから、構成を簡略化してコストの低減を図ることができる。
【図面の簡単な説明】
【図１】この発明の一実施の形態を示すベッド装置の側面図。
【図２】同じく背上げ床板部の下面側を示す斜視図。
【図３】同じく帯状部材とアームとの連結構造を示す斜視図。
【図４】同じく帯状部材とマットレス装置との連結構造を示す断面図。
【図５】（ａ）〜（ｃ）は同じくマットレス装置の斜視図。
【図６】同じくマットレス装置の短冊部の斜視図。
【符号の説明】
１…ベッドフレーム
６…床板体
７ａ〜７ｄ…床板部
１１…背上げ駆動機構
１３…駆動源
１６…アーム
１７…ローラ
１８…レール
２１…マットレス装置
２２…クッション体
２３…外装体
２４…伸縮部
２５…短冊部
２５ａ…切り込み
２６…補強シート
３０，３７…ベルベットファスナ（第１の連結手段）
３１…スライド手段
３２…帯状部材
３５，３７…連結具（第２の連結手段）
【図１】
0003562958.tif 000002
【図２】
0003562958.tif 000003
【図３】
0003562958.tif 000004
【図４】
0003562958.tif 000005
【図５】
0003562958.tif 000006
【図６】
0003562958.tif 000007